(57)【要約】      （修正有）【課題】温度変化に伴う液体噴射ヘッドのインクの吐出特性のばらつきを抑制し、高精度且つ高画質印刷を行える液体噴射ヘッドユニット及び液体噴射装置を提供する。【解決手段】液体を噴射するノズル開口が並設されたノズル列１４を有する複数の液体噴射ヘッド１０ａ〜１０ｆと、液体噴射ヘッド１０ａ〜１０ｆの周囲の雰囲気温度を測定する複数の温度検出手段９ａ〜９ｆと、を具備し、温度検出手段９ａ〜９ｆの数は、液体噴射ヘッド１０ａ〜１０ｆの数以上設けられている。【選択図】図４
2013230655.tif 000002
【特許請求の範囲】
【請求項１】
液体を噴射するノズル開口が並設されたノズル列を有する複数の液体噴射ヘッドと、
前記液体噴射ヘッドの周囲の雰囲気温度を測定する複数の温度検出手段と、
を具備し、
前記温度検出手段の数は、前記液体噴射ヘッドの数以上設けられている
ことを特徴とする液体噴射ヘッドユニット。
【請求項２】
請求項１に記載の液体噴射ヘッドユニットにおいて、
前記複数の液体噴射ヘッドは、前記ノズル開口の並設方向に千鳥状に２列に配置されて、前記ノズル列が連続する１つのノズル列ユニットを形成しており、
前記温度検出手段は、前記液体噴射ヘッドの前記並設方向と交差する方向に隣接する位置に、１つの液体噴射ヘッドに対向して１つ以上配置されていることを特徴とする液体噴射ヘッドユニット。
【請求項３】
請求項２に記載の液体噴射ヘッドユニットにおいて、
前記温度検出手段は、前記２列の各列に並設された前記液体噴射ヘッドの間に配置されていることを特徴とする液体噴射ヘッドユニット。
【請求項４】
請求項２に記載の液体噴射ヘッドユニットにおいて、
前記温度検出手段は、前記並設方向と交差する方向における一方側のみに配置されていることを特徴とする液体噴射ヘッドユニット。
【請求項５】
請求項２〜４の何れか一項に記載の液体噴射ヘッドユニットにおいて、
前記温度検出手段は、前記ノズル列ユニットを構成する両端に配置される前記液体噴射ヘッドの前記並設方向の外側にも配置されていることを特徴とする液体噴射ヘッドユニット。
【請求項６】
請求項２に記載の液体噴射ヘッドユニットにおいて、
前記温度検出手段は、前記ノズル開口の並設方向に沿った前記各列の前記液体噴射ヘッドの中心線の間に配置されていることを特徴とする液体噴射ヘッドユニット。
【請求項７】
請求項１〜６の何れか一項に記載の液体噴射ヘッドユニットにおいて、前記液体噴射ヘッドによる液体の噴射を制御する制御手段をさらに具備し、前記制御手段は、前記複数の温度検出手段によって測定された複数の温度情報に基づいて、前記液体噴射ヘッドに液体を噴射させる駆動信号を補正することを特徴とする液体噴射ヘッドユニット。
【請求項８】
請求項１〜７の何れか一項に記載の液体噴射ヘッドユニットを具備することを特徴とする液体噴射装置。
【発明の詳細な説明】
【技術分野】
【０００１】
本発明は、ノズル開口から液体を噴射する液体噴射ヘッドを具備する液体噴射ヘッドユニット及び液体噴射装置に関する。
【背景技術】
【０００２】
インクジェット式記録装置に代表される液体噴射装置は、インク等の液体を吐出する液体噴射ヘッドが複数設けられた液体噴射ヘッドユニットを具備する。これらの液体噴射ヘッドから吐出するインクなどの液体は温度により粘度が変化し、特に粘度の高い液体を吐出する場合には温度の変化による粘度の変化が大きい。このような液体を吐出する場合、粘度特性に合わせた吐出を行うために、液体を加熱したり、液体噴射ヘッドの温度に基づいて、液体噴射ヘッドの駆動波形を変更する方法が提案されている（例えば、特許文献１、２参照）。
【先行技術文献】
【特許文献】
【０００３】
【特許文献１】特開２０１０−０２３２５７号公報
【特許文献２】特開２０１１−１８３７２７号公報
【発明の概要】
【発明が解決しようとする課題】
【０００４】
しかしながら、上述したような液体噴射ヘッドの温度に基づいて制御を行っても、近年の長尺化する液体噴射ヘッドにおいて、高速且つ高画質の画像印刷を実現することができないという問題がある。
【０００５】
本発明はこのような事情に鑑み、温度変化に伴う液体噴射ヘッドのインクの吐出特性のばらつきを抑制し、高精度且つ高画質印刷を行える液体噴射ヘッドユニット及び液体噴射装置を提供することを目的とする。
【課題を解決するための手段】
【０００６】
上記課題を解決する本発明の態様は、液体を噴射するノズル開口が並設されたノズル列を有する複数の液体噴射ヘッドと、前記液体噴射ヘッドの周囲の雰囲気温度を測定する複数の温度検出手段と、を具備し、前記温度検出手段の数は、前記液体噴射ヘッドの数以上設けられていることを特徴とする液体噴射ヘッドユニットにある。
かかる本発明によれば、複数の温度検出手段により測定した液体噴射ヘッド毎の周囲の雰囲気温度を考慮して、駆動信号を補正するので、環境温度の変化に伴う液体噴射ヘッド間の液体の吐出特性のばらつきを抑制し、吐出特性の高い液体噴射ヘッドユニットを実現できる。
【０００７】
ここで、前記液体噴射ヘッドユニットにおいて、前記複数の液体噴射ヘッドは、前記ノズル開口の並設方向に千鳥状に２列に配置されて、前記ノズル列が連続する１つのノズル列ユニットを形成しており、前記温度検出手段は、前記液体噴射ヘッドの前記並設方向と交差する方向に隣接する位置に、１つの液体噴射ヘッドに対向して１つ以上配置されていることが好ましい。これによれば、前記液体噴射ヘッドと前記温度検出手段とが、それぞれ千鳥状に配置されるので、前記温度検出手段により液体噴射ヘッド毎の環境温度の変化をより正確に把握できる。これにより、駆動信号をより精度良く補正でき、液体噴射ヘッド間の液体の吐出特性のばらつきを抑制できる。
【０００８】
ここで、前記液体噴射ヘッドユニットにおいて、前記温度検出手段は、前記２列の各列に並設された前記液体噴射ヘッドの間に配置されていることが好ましい。これによれば、前記温度検出手段により、液体噴射ヘッドの間における環境温度の変化をより正確に把握できるので、駆動信号を精度良く補正でき、液体噴射ヘッド間の液体の吐出特性のばらつきを抑制できる。
【０００９】
また、前記液体噴射ヘッドユニットにおいて、前記温度検出手段は、前記並設方向と交差する方向における一方側のみに配置されていることが好ましい。これによれば、前記温度検出手段により、前記液体噴射ヘッドの上流側又は下流側の一方側の温度を的確にとらえることができるので、前記液体噴射ヘッド毎の周囲の雰囲気温度を反映させた駆動信号の補正ができ、液体噴射ヘッド間の液体の吐出特性のばらつきを抑制できる。
【００１０】
また、前記液体噴射ヘッドユニットにおいて、前記温度検出手段は、前記ノズル列ユニットを構成する両端に配置される前記液体噴射ヘッドの前記並設方向の外側にも配置されていることが好ましい。これによれば、全ての液体噴射ヘッドの周囲には３つ以上の前記温度検出手段が配置されていることになる。このような複数の温度検出手段により測定した液体噴射ヘッドの周囲の雰囲気温度に基づく駆動信号の補正はより精度が高く、液体噴射ヘッド間の液体の吐出特性のばらつきを抑制できる。
【００１１】
また、前記液体噴射ヘッドユニットにおいて、前記温度検出手段は、前記ノズル開口の並設方向に沿った前記各列の前記液体噴射ヘッドの中心線の間に配置されていることが好ましい。これによれば、前記温度検出手段は、前記ノズル開口の並設方向と交差する方向に対向する前記液体噴射ヘッドに、より近接して設けられるので、液体噴射ヘッド毎の周囲の雰囲気温度をより正確に把握することができ、駆動信号を精度良く補正できる。
【００１２】
また、本発明の他の態様は、前記何れかに記載の液体噴射ヘッドユニットにおいて、前記液体噴射ヘッドによる液体の噴射を制御する制御手段をさらに具備し、前記制御手段は、前記複数の温度検出手段によって計測された複数の温度情報に基づいて、前記液体噴射ヘッドに液体を噴射させる駆動信号を補正することを特徴とする液体噴射ヘッドユニットにある。
かかる本発明によれば、複数の温度検出手段により測定した液体噴射ヘッド毎の周囲の雰囲気温度を考慮して、駆動信号を補正するので、環境温度の変化に伴う液体噴射ヘッド間の液体の吐出特性のばらつきを抑制し、吐出特性の高い液体噴射ヘッドユニットを実現できる。
【００１３】
また、本発明の他の態様は、前記何れかに記載の液体噴射ヘッドユニットを具備することを特徴とする液体噴射装置にある。
かかる本発明によれば、複数の温度検出手段により測定した液体噴射ヘッド毎の周囲の雰囲気温度を考慮して、駆動信号を補正するので、環境温度の変化に伴う液体噴射ヘッド間の液体の吐出特性のばらつきを抑制し、吐出特性の高い液体噴射装置を実現できる。
【図面の簡単な説明】
【００１４】
【図１】実施形態１に係る液体噴射装置の概略斜視図である。
【図２】実施形態１に係る液体噴射ヘッドの概略斜視図である。
【図３】実施形態１に係る液体噴射ヘッドの底面図である。
【図４】実施形態１に係るヘッドユニットの底面図である。
【図５】実施形態２に係るヘッドユニットの底面図である。
【図６】実施形態３に係るヘッドユニットの底面図である。
【図７】実施形態４に係るヘッドユニットの底面図である。
【発明を実施するための形態】
【００１５】
以下に本発明を実施形態に基づいて詳細に説明する。
（実施形態１）
図１は、本発明の実施形態１に係る液体噴射装置の一例であるインクジェット式記録装置の概略斜視図であり、図２は、液体噴射ヘッドの概略斜視図であり、図３は、液体噴射ヘッドの底面図であり、図４はヘッドユニットの底面図である。以下、図面を参照して、本発明の実施形態に係る液体噴射装置及びヘッドユニットについて説明する。
【００１６】
図１に示すように、本実施形態の液体噴射装置の一例であるインクジェット式記録装置１は、インクジェット式記録ヘッド１０（以下、「記録ヘッド」という。）が固定されて、被噴射媒体である紙などの記録シートＳを搬送することで印刷を行う、所謂ライン式記録装置である。インクジェット式記録装置１は、装置本体２と、該装置本体２に固定され複数の記録ヘッド１０を具備するヘッドユニット３と、記録シートＳを搬送する搬送手段４と、支持部５とを具備する。
【００１７】
ヘッドユニット３は、板状の保持部材６上に複数の記録ヘッド１０ａ〜１０ｆを具備する。図１に示すように、これらの複数の記録ヘッド１０ａ〜１０ｆは、ノズル開口の並設方向に、２列に配置されており、各列における記録ヘッド１０ａ〜１０ｆは、ノズル開口の並設方向と交差する方向、即ち、記録シートＳが搬送される方向（以下、「記録シートＳの搬送方向」という。）に、位置をずらして互い違いに配置されており、各列における各記録ヘッド１０ａ〜１０ｆの前記並設方向、すなわち、長手方向の端部は、ノズル開口の並設方向に対して一部が重複するように配置されている。本実施形態では、このような配置を千鳥状の配置と言う。
【００１８】
一方、記録ヘッド１０ａ〜１０ｆは、それぞれ、一端面に複数のノズル開口が並設された２列のノズル列１４ａ、１４ｂを具備する。すなわち、本実施形態では、記録シートＳの搬送方向に並んで２列のノズル列１４ａ、１４ｂを形成しているが、一方のノズル列１４ａのノズル開口１１と、他方のノズル列１４ｂのノズル開口１１とは半ピッチずれた状態で形成され、ノズル列１４ａのノズル開口１１とノズル列１４ｂのノズル開口１１とは同種の液体を噴射するものであり、このような場合には、２列のノズル列１４ａ、１４ｂで実質的に１つのノズル列１４を形成しているものとする。本発明では、この実質的に一列になったノズル列１４をノズル列という。これにより、解像度を２倍とすることができる。なお、ノズル開口１１の列は、３列以上で実質的に１列を構成するような形態でもよい。勿論、１列のみのノズル列を具備するものでもよい。また、２列以上のノズル列を具備し、各ノズル列が異なる種類の液体を噴射するものでもよく、この場合には、ノズル列を複数具備するものとする。
【００１９】
また、ヘッドユニット３上において、千鳥状に２列に配置された記録ヘッド１０の内、一方の列の記録ヘッド１０に設けられたノズル列１４の端部と、他方の列の記録ヘッド１０に設けられたノズル列の端部とは、ノズル開口１１の並設方向において一部が重複するように配置されている。これにより、ヘッドユニット３上における全ての記録ヘッド１０のノズル列１４を連続させて、全体として最大印刷幅を形成するノズル列ユニットを構成している。
【００２０】
また、このようなヘッドユニット３の各記録ヘッド１０ａ〜１０ｆには、図示していないが、インクが貯留されたインクタンクやインクカートリッジなどのインク貯留手段がインクを供給可能に接続されている。インク貯留手段は、例えば、ヘッドユニット３上に保持されていても、装置本体２内のヘッドユニット３とは異なる位置に保持されていてもよい。
【００２１】
また、この記録ヘッド１０ａ〜１０ｆの近傍には、記録ヘッド１０の周囲の雰囲気温度を測定する温度検出手段であるサーミスタ９ａ〜９ｆが設けられている。なお、温度検出手段は、例えば、熱電抵抗体、熱電対等の温度センサーを用いることもできる。各サーミスタ９ａ〜９ｆは、記録ヘッド１０ａ〜１０ｆのノズル開口１１の並設方向に交差する方向、すなわち、本実施形態では、記録シートＳの搬送方向に隣接して且つ千鳥状に配置された２列の他方側に設けられている。すなわち、サーミスタ９ｂ〜９ｅは、千鳥状に配置された記録ヘッド１０ａ〜１０ｆの２列の各列のノズル開口１１の並設方向に隣接した記録ヘッドの間に配置されており、サーミスタ９ａ及び９ｆは、記録ヘッド１０ｂ及び１０ｅのノズル開口１１の並設方向の外側で且つ記録ヘッド１０ａ及び１０ｆに隣接して設けられている。なお、特に図示しないが、各記録ヘッド１０ａ〜１０ｆには、各記録ヘッド内の液体温度を検出する温度センサー、例えば、サーミスタが内蔵されている。そして、これらのサーミスタ及び上述したサーミスタ９ａ〜９ｆの情報は、インクジェット式記録装置１に設けられたＣＰＵやメモリー等で構成された制御装置に送られるようになっている。
【００２２】
搬送手段４は、ヘッドユニット３に対して、記録シートＳの搬送方向の両側に設けられた第１の搬送手段７と、第２の搬送手段８とを具備する。
【００２３】
第１の搬送手段７は、駆動ローラー７ａと、従動ローラー７ｂと、これら駆動ローラー７ａ及び従動ローラー７ｂに巻回された搬送ベルト７ｃとで構成されている。また、第２の搬送手段８は、第１の搬送手段７と同様に駆動ローラー８ａ、従動ローラー８ｂ及び搬送ベルト８ｃで構成されている。
【００２４】
これらの第１の搬送手段７及び第２の搬送手段８のそれぞれの駆動ローラー７ａ、８ａには、図示しない駆動モーター等の駆動手段が接続されている。駆動手段の駆動力によって搬送ベルト７ｃ、８ｃが回転駆動することで、記録シートＳは搬送方向に沿って一方から他方に搬送される。すなわち、記録シートＳは、一方からヘッドユニット３に搬送され、インクが吐出された記録シートＳは他方に搬送される。なお、前記一方側を上流側、前記他方側を下流側とも称する。
【００２５】
支持部５は、第１の搬送手段７と第２の搬送手段８との間に、ヘッドユニット３に相対向して設けられた断面が矩形状を有する金属又は樹脂等からなる。支持部５は、第１の搬送手段７及び第２の搬送手段８によって搬送された記録シートＳを、ヘッドユニット３に相対向する位置で支持するためのものである。また、支持部５には、吐出されたインクを乾燥する加熱手段や、記録シートＳをプレ加熱する加熱手段や、これらの温度を計測するセンサーが設けられることもある。
【００２６】
図２、図３に示すように、本実施形態の記録ヘッド１０は、一端面（液滴吐出面１８）にノズル開口１１が設けられた液体噴射ヘッド本体１２（以下、「ヘッド本体」という。）と、ヘッド本体１２のノズル開口１１とは反対側の面に固定された流路部材１３とを具備する。
【００２７】
なお、ヘッド本体１２の内部には、特に図示しないが、ノズル開口１１に連通する流路の一部を構成する圧力発生室と、圧力発生室に圧力変化を生じさせてノズル開口からインクを吐出させる圧力発生手段とが設けられている。
【００２８】
圧力発生手段は、特に限定されないが、例えば、電気機械変換機能を呈する圧電材料を２つの電極で挟んだ圧電素子を用いたものや、圧力発生室内に発熱素子を配置して、発熱素子の発熱で発生するバブルによってノズル開口１１から液滴を吐出するものや、振動板と電極との間に静電気を発生させて、静電気力によって振動板を変形させてノズル開口１１から液滴を吐出させるものなどを用いることができる。
【００２９】
流路部材１３は、ヘッド本体１２のノズル開口１１とは反対側の面に固定されて、外部からのインクをヘッド本体１２に供給し、又はヘッド本体１２から外部にインクを排出するものである。
【００３０】
流路部材１３のヘッド本体１２に固定された面とは反対側の面には、内部の流路が開口して外部の流路が接続される液体流路口１５と、外部からの印刷信号等の電気信号が供給されるコネクター１６とが設けられている。
【００３１】
このような流路部材１３に設けられた２つの液体流路口１５は、一方の液体流路口１５が液体供給口として機能し、他方の液体流路口１５が記録ヘッド１０の内部のインクを外部に排出する液体排出口として機能する。流路部材１３に設けられた流路は、一方の液体供給口からノズル列１４にインクを供給するように構成され、ノズル列１４から他方の液体排出口を介して外部へインクを排出させるように構成されている。
【００３２】
なお、２つの液体流路口１５の両方が、液体供給口として機能するようにしてもよい。この場合には、例えば、２つの液体流路口１５がノズル列１４に連通するように記録ヘッド１０の内部の流路を構成する。もちろん、液体流路口１５の数や、ノズル列１４の数などは上述したものに限定されず、また、液体流路口１５を液体供給口又は液体排出口として機能させる使い分けも上述したものに限定されるものではない。
【００３３】
また、ヘッド本体１２には、液滴吐出面１８の周縁部を覆うように設けられたカバーヘッド３０が設けられている。
【００３４】
なお、上述したインクジェット式記録装置１は、図示の都合上、一つのヘッドユニット３のみを図示しているが、複数種の液体を吐出するもの、例えば、複数色のインクによりカラー印刷を行う場合には、ヘッドユニット３を複数個並設する構成とすることは言うまでもない。
【００３５】
また、本実施形態に係るインクジェット式記録装置１には、記録ヘッド１０ａ〜１０ｆの環境温度に応じて駆動信号を補正する制御手段が設けられている。この制御手段は、記録ヘッド１０内の液体の温度に基づく温度情報と共に、複数の温度検出手段９ａ〜９ｆにより測定した複数の記録ヘッド１０ａ〜１０ｆ毎の周囲の雰囲気温度を考慮して、記録ヘッド１０毎に、吐出に適した駆動条件を求め、記録ヘッド１０毎に最適な駆動条件となるように駆動信号を補正するものである。
【００３６】
記録ヘッド１０ａ〜１０ｆの周囲の雰囲気温度は環境温度の影響を受けて常に変動するので、記録ヘッド１０ａ〜１０ｆのノズル開口１１から吐出される直前の液体は、記録ヘッド内部の温度よりも周囲の雰囲気温度の影響が大きい。よって、従来のように記録ヘッド１０ａ〜１０ｆの内部の温度情報のみに基づいて補正するのでは不十分であり、各記録ヘッド１０ａ〜１０ｆの周囲の雰囲気温度も考慮して駆動条件を補正するようにしている。また、各記録ヘッド１０ａ〜１０ｆの周囲の雰囲気温度は、各記録ヘッド１０ａ〜１０ｆの駆動による温度上昇や、インクが乾燥するときの温度や、インクを乾燥させるための加熱手段の温度や、プレ加熱された記録シートＳの温度や、室温など、様々な環境温度の影響を受けて変動するので、各記録ヘッド１０ａ〜１０ｆのそれぞれについて、局所的に判断する必要がある。このような理由から、本実施形態では、各記録ヘッド１０ａ〜１０ｆに対応してサーミスタ９ａ〜９ｆを設け、各記録ヘッド１０ａ〜１０ｆの周囲の雰囲気温度をそれぞれ測定するようにした。本実施形態では、記録ヘッド１０ａ〜１０ｆの個数と同一のサーミスタ９ａ〜９ｆを設けたので、記録ヘッド１０ａの周囲の雰囲気温度は、サーミスタ９ａの温度情報から、記録ヘッド１０ｂの周囲の雰囲気温度はサーミスタ９ｂから、というように、サーミスタ９ａ〜９ｆを各記録ヘッド１０ａ〜１０ｆに１対１で対応させて各記録ヘッド１０ａ〜１０ｆの周囲の雰囲気温度を取得することができる。勿論、このように記録ヘッド１０ａ〜１０ｆと同等の個数のサーミスタ９ａ〜９ｆを設けたからといって、１対１で対応させて周囲の雰囲気温度を取得する必要はなく、例えば、記録ヘッド１０ａの周囲の雰囲気温度は、サーミスタ９ａの温度情報だけでなく、サーミスタ９ｂの温度情報も参照して取得し、記録ヘッド１０ｂの周囲の雰囲気温度は、サーミスタ９ｂだけでなく、サーミスタ９ａや９ｃの温度情報も参照して取得するというように、各記録ヘッド１０ａ〜１０ｆの周囲の雰囲気温度をサーミスタ９ａ〜９ｆの中から選択される複数のサーミスタの温度情報から取得するようにしてもよい。また、その場合、複数のサーミスタの温度情報から周囲の雰囲気温度を取得する場合には、サーミスタ毎に重み付けをして周囲の雰囲気温度を取得するようにしてもよい。
【００３７】
例えば、各記録ヘッド１０ａ〜１０ｆの周囲の雰囲気温度を複数のサーミスタの温度情報に基づいて算出する場合、複数のサーミスタについて予め所定の寄与度を定め、例えば、インクの温度変化に影響を及ぼすと思われる、印刷に関与する記録ヘッドの近傍で測定される温度の寄与度を高くする等して、その寄与度を考慮して算出してもよいし、パラメーター等を用いて各測定位置における温度と、各記録ヘッド１０からの距離等との関数から算出してもよい。また、各サーミスタ間の温度のばらつきの平均値を基準として算出してもよい。このように、各記録ヘッド１０ａ〜１０ｆの周囲の雰囲気温度の算出方法は特に限定されない。
【００３８】
何れにしても、環境温度が変化した場合、複数の記録ヘッド１０ａ〜１０ｆを具備するヘッドユニット３上では、ヘッドユニット３の中央部の雰囲気温度と、ヘッドユニット３の両端の雰囲気温度では、所定の温度差を生じるものと考えられるので、上述したように、各記録ヘッド１０ａ〜１０ｆ毎に周囲の雰囲気温度を取得することは有効であり、このような温度差に基づく印刷品質の相違を、駆動条件を補正することにより解消することができる。特に、近年の長尺化する記録ヘッドユニットにおいては、記録ヘッド１０間におけるインクの吐出特性のばらつきを抑制することが重要であり、上述したように記録ヘッド１０ａ〜１０ｆ毎に精度良く駆動信号を補正することが重要である。本発明では、このような駆動信号の補正により、環境温度の変化に伴う記録ヘッド１０ａ〜１０ｆ間の液体の吐出特性のばらつきを抑制し、高精度且つ高画質印刷を行える記録ヘッドユニットを実現する。
【００３９】
（実施形態２）
図５は実施形態２に係るヘッドユニットの底面図である。図５に示すように、ヘッドユニット３には、６つの記録ヘッド１０ａ〜１０ｆと８つのサーミスタ９ａ〜９ｈとが、配置されている。記録ヘッド１０ａ〜１０ｆは、実施形態１と同様に、ノズル開口１１の並設方向に沿って、千鳥状に２列に配置されている。一方、サーミスタ９ａ〜９ｆは、実施形態１と同様に記録シートＳの搬送方向に対して、各記録ヘッド１０ａ〜１０ｆと１対１で対向して千鳥状に２列に配置され、さらに、ノズル開口１１の並設方向に対して、両端にある記録ヘッド１０ａ、１０ｆの外側にサーミスタ９ｇ及び９ｈが配置されている。
【００４０】
結果、全ての記録ヘッド１０ａ〜１０ｆには、ノズル開口１１の並設方向に対して交差する方向の各記録ヘッド１０ａ〜１０ｆの側方にサーミスタ９ａ〜９ｆが１つずつ配置されており、且つ、記録ヘッド１０ａ及び１０ｆの外側にはサーミスタ９ｇ及び９ｈが配置されている。よって、各記録ヘッド１０ａ〜１０ｆのそれぞれの周囲には、３個のサーミスタが配置されることになり、各記録ヘッド１０ａ〜１０ｆの周囲の雰囲気温度を、それぞれ３個のサーミスタの温度情報に基づいて算出することができ、さらに精度よい駆動信号の補正が可能となる。勿論、環境温度の影響が大きくなりやすい両端に配置される記録ヘッド１０ａ、１０ｆに関してのみ、３個のサーミスタの温度情報で周囲の雰囲気温度を算出し、記録ヘッド１０ｂ〜１０ｅについては、１個のサーミスタで周囲の雰囲気温度を算出するようにしてもよい。
【００４１】
（実施形態３）
図６は実施形態３に係るヘッドユニットの底面図である。図６に示すように、記録ヘッド１０ａ〜１０ｆは、実施形態１と同様に、ノズル開口１１の並設方向に沿って、千鳥状に２列に配置されている。一方、サーミスタ９ａ〜９ｆは、記録シートＳの搬送方向に対して、各記録ヘッド１０ａ〜１０ｆの一方側の側方、本実施形態では搬送方向の下流側にそれぞれ配置されている。
【００４２】
このようなサーミスタの配置は、記録シートＳが予備加熱されたり、印刷後、乾燥のために加熱されたりする場合に有効である。すなわち、各記録ヘッド１０ａ〜１０ｆは搬送される記録シートＳの温度の影響を受けやすいが、サーミスタ９ａ〜９ｆが記録ヘッド１０ａ〜１０ｆの搬送方向の一定の方向に設けられているため、サーミスタ９ａ〜９ｆは各記録ヘッド１０ａ〜１０ｆの周囲の雰囲気温度、本実施形態では下流側の温度を的確にとらえることができる。このような記録ヘッドの周囲の雰囲気温度を反映させた駆動信号の補正は精度が高く、各記録ヘッド１０ａ〜１０ｆ間におけるインクの吐出特性のばらつきを抑制することができる。
【００４３】
（実施形態４）
図７は実施形態４に係るヘッドユニットの底面図である。実施形態４に係るヘッドユニット３では、実施形態１と同様に、記録ヘッド１０ａ〜１０ｆとサーミスタ９ａ〜９ｆとが１対１で対向して、ノズル開口１１の並設方向に沿って、それぞれが千鳥状に２列に配置されるが、実施形態４のサーミスタ９ａ〜９ｆは、実施形態１と比較して対向する各記録ヘッド１０ａ〜１０ｆに近接して設けられ、ノズル開口１１の並設方向に沿った各列の記録ヘッドの中心線（図７中、一点鎖線参照）の間に配置されている。
【００４４】
このように配置されたサーミスタ９ａ〜９ｆは、対向する記録ヘッド１０ａ〜１０ｆに近接して設けられているので、各記録ヘッド１０ａ〜１０ｆの周囲の雰囲気温度をより正確に把握することができ、測定温度間のばらつきを小さくすることができる。
【００４５】
このようなばらつきの小さい測定温度に基づく駆動信号の補正はより精度が高く、各記録ヘッド１０ａ〜１０ｆ間におけるインクの吐出特性のばらつきを抑制することができる。
【００４６】
（他の実施形態）
なお、上述の実施形態は本発明の好適な実施の一例ではあるがこれに限定されるものではなく、本発明の要旨を逸脱しない範囲において種々変形実施可能である。
【００４７】
上述した実施形態のインクジェット式記録装置１では、インクジェット式記録ヘッド１０が固定されて、紙等の記録シートＳを移動させるだけで印刷を行う、所謂ライン式記録装置を例示したが、特にこれに限定されず、例えば、インクジェット式記録ヘッド１０がキャリッジに搭載されて主走査方向に移動すると共に記録シートＳを副走査方向に移動させるシリアル式記録装置のヘッドユニットにも本発明を適用することができる。
【００４８】
なお、上述した実施形態では、液体噴射ヘッドの一例としてインクジェット式記録ヘッドを挙げて説明したが、本発明は広く液体噴射ヘッド全般を対象としたものであり、インク以外の液体を噴射する液体噴射ヘッドにも勿論適用することができる。その他の液体噴射ヘッドとしては、例えば、プリンター等の画像記録装置に用いられる各種の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等が挙げられる。
【符号の説明】
【００４９】
１  インクジェット式記録装置、  ２  記録装置本体、  ３  ヘッドユニット、  ４、７、８  搬送手段、  ５  支持部、  ６  保持部材、  ９ａ〜９ｈ  サーミスタ、  １０ａ〜１０ｆ  インクジェット式記録ヘッド、  １１  ノズル開口、  １２  液体噴射ヘッド本体、  １３  流路部材、  １４  ノズル列、  １５  液体流路口、  １６  コネクター、  １８  液滴吐出面
【図１】
2013230655.tif 000003
【図２】
2013230655.tif 000004
【図３】
2013230655.tif 000005
【図４】
2013230655.tif 000006
【図５】
2013230655.tif 000007
【図６】
2013230655.tif 000008
【図７】
2013230655.tif 000009